(57)【要約】【課題】部品組立時にランスの係止代の寸法管理が容易で前後両方向からスライド係止することも可能となる係止ランス及びそれを用いたランス係止構造の提供を目的とする。【解決手段】被係止部材にスライド係止する係止部材のベース面に、スライド方向と平行な弾性変形部を形成し、当該弾性変形部から略直角方向で且つ被係止部材側に突出し、被係止部材に設けた被係止部に係止する係止部を形成してあることを特徴とする。【選択図】  図１
2008204724.tif 000002
【特許請求の範囲】
【請求項１】
被係止部材にスライド係止する係止部材のベース面に、スライド方向と平行な弾性変形部を形成し、当該弾性変形部から略直角方向で且つ被係止部材側に突出し、被係止部材に設けた被係止部に係止する係止部を形成してあることを特徴とする係止ランス。
【請求項２】
弾性変形部はベース面に切り込みを入れて帯状に形成してあり、係止部は弾性変形部の先端を略直角方向で且つ被係止部材側に折り曲げて形成してあることを特徴とする請求項１記載の係止ランス。
【請求項３】
係止部はベース面の中央部に形成してあり、係止部材は前後どちらの方向からでも被係止部材にスライド係止可能であることを特徴とする請求項１又は２記載の係止ランス。
【請求項４】
被係止部材と係止部材との係止構造であって、
被係止部材は傾斜面と被係止面とを有する被係止部を備え、
係止部材は、ベース面に切り込みを入れて形成した弾性変形部と、弾性変形部の先端を被係止部材側方向に略直角に折り曲げた係止部とを有するランスを備え、
被係止部材に係止部材をスライド嵌合又はスライド挿入する際に、ランスの係止部が傾斜面に沿って摺接し、それに伴って弾性変形部が弾性変形し、傾斜面を乗り越えると係止部が弾性復帰して被係止面に係止するものであることを特徴とするランス係止構造。
【発明の詳細な説明】
【技術分野】
【０００１】
本発明は、部品と部品をスライド係止するための係止ランス及びそのランス係止構造に関する。
【背景技術】
【０００２】
従来から、端子類、コンタクト類をハウジングに挿入係止したり、本体部にカバー類をスライド係止するのにランス係止構造が広く採用されている。
その一般的な構造例を図８に示す。
被係止部材１１０には、被係止突起１１２を設けてあり、係止部材１２０には内側に斜めに折り曲げた弾性片からなるランス１２２を有している。
このような内側に斜めに折り曲げたランスでは、図８（ａ）〜（ｃ）に示すように係止部材１２０を矢印の方向にスライドさせてランスが被係止突起１１２を乗り越えると内側に弾性復帰したランス１２２の先端１２２ａが被係止突起の側壁に係止する構造であるために、図８（ｂ）に示す矢印の一方向にのみしかスライド係止することができない問題があった。
また、図８（ｄ）に示した角度θが１８０°以下になるようにランスを折り曲げる必要があるが、曲げ角度にバラツキが生じやすくランスの先端１２２ａの内側への曲げ込み寸法管理が大変であった。
特開２００６−１４７３５９号に開示するコネクタにおいても、上記の同様のランス構造を採用している点で同様の問題が内在する。
【０００３】
【特許文献１】特開２００６−１４７３５９号公報
【発明の開示】
【発明が解決しようとする課題】
【０００４】
本発明は上記技術的課題に鑑みて、部品組立時にランスの係止代の寸法管理が容易で前後両方向からスライド係止することも可能となる係止ランス及びそれを用いたランス係止構造の提供を目的とする。
【課題を解決するための手段】
【０００５】
本発明に係る係止ランスは、被係止部材にスライド係止する係止部材のベース面に、スライド方向と平行な弾性変形部を形成し、当該弾性変形部から略直角方向で且つ被係止部材側に突出し、被係止部材に設けた被係止部に係止する係止部を形成してあることを特徴とする。
ここでベース面とは、被係止部材にスライド挿入あるいはスライド嵌合する係止部材のスライド方向と平行なベースとなる面をいう。
【０００６】
弾性変形部は、ベース面に沿って、あるいはベース面に平行に延在させてもよいが、ベース面に切り込みを入れて帯状に弾性変形部を形成してもよく、その場合には、弾性変形部はベース面に切り込みを入れて帯状に形成してあり、係止部は弾性変形部の先端を略直角方向で且つ被係止部材側に折り曲げて形成してあることを特徴とする。
帯状の弾性変形部の先端を略直角に折り曲げて係止部を形成したので、折り曲げた先端の側面が被係止部材の被係止部の側部と面当たりになる。
【０００７】
弾性変形部の先端を折り曲げて設けた係止部をベース面の中央部に位置するように形成すると被係止部材にスライド係止する係止部材をこの係止部を中心に対称形にすることで係止部材の前後どちらかでも被係止部材に組み込むことができる。
【０００８】
本発明に係る係止ランスを採用した場合に、被係止部材と係止部材との係止構造であって、被係止部材は傾斜面と被係止面とを有する被係止部を備え、係止部材は、ベース面に切り込みを入れて形成した弾性変形部と、弾性変形部の先端を被係止部材側方向に略直角に折り曲げた係止部とを有するランスを備え、被係止部材に係止部材をスライド嵌合又はスライド挿入する際に、ランスの係止部が傾斜面に沿って摺接し、それに伴って弾性変形部が弾性変形し、傾斜面を乗り越えると係止部が弾性復帰して被係止面に係止するものであることを特徴とする。
ここで係止部が弾性復帰すると、弾性変形部がベース面とおおむね平行になるので、被係止部側に略直角に折り曲げて形成した係止部の側面が被係止面に面当たりする。
【発明の効果】
【０００９】
本発明に係る係止ランスにおいては、ベース面からスライド方向と平行に延在させて、又はベース面に切り込みを入れて設けた弾性変形部から略直角方向で且つ被係止部材側に係止部を形成してあるので、ランスの係止部が相手側被係止部材に設けた被係止部を乗り上げる際に、外側に弾性変形し、この係止部が被係止部の被係止面に係止する際には弾性変形部がベース面と平行になる位置まで戻る。
従って、係止部を弾性変形部から略直角方向に突出又は折り曲げて形成したことにより、係止部の側部と被係止部の被係止面と面当たりすることになるので、係止力が安定するとともに、係止部と被係止面との係止代の寸法管理が容易になる。
また、係止部材のベース面中央に係止部を形成し、係止部材を対称形にすると係止部材を前後方向のどちらからでも被係止部材に組み込むことができる。
【発明を実施するための最良の形態】
【００１０】
本発明に係るランス係止構造は、被係止部材と係止部材とをスライド挿入あるいはスライド嵌合する組付構造を採用できる分野であれば用途は特に限定されない。
以下、図面に基づいて本発明の適用例を説明する。
【００１１】
図１には、プラグを挿入して電気的に接続するジャックの例を模式的に示す。
図１（ｂ）〜（ｄ）は、ランス係止部の断面要部拡大図を示す。
ジャックはプラグ挿入部１３及び電気端子等を組み込んだジャック本体（被係止部材）１０と、このジャック本体を電磁シールドするシールドカバー（係止部材）２０とから構成されている。
ジャック本体１０のベース部１１には被係止部１２が形成されている。
一方、シールドカバー２０のベース面２１には切り込み部２２ｃを形成し、帯状の弾性変形部２２ａを有するランス２２を有している。
シールドカバー２０は、ベース面２１から左右の立壁２３、２４を有し、その下部に嵌合片２５を設けてあり、ジャック本体１０の嵌合部１４に沿ってスライド組付するようになっていて、弾性変形部２２ａの先端を内側方向（被係止部材側）に略直角に折り曲げて形成した係止部２２ｂは、シールドカバー２０のベース面の中央に位置している。
【００１２】
係止動作を図１（ｂ）〜（ｄ）に基づいて説明する。
シールドカバー２０をジャック本体１０の後方からスライド組み込みすると、シールドカバー２０のベース面２１に切り込みを入れて帯状に形成した弾性変形部の先端に設けた係止部２２ｂの先が被係止部１２の傾斜面１２ａに当接し、この傾斜面に沿って摺接する際に弾性変形部２２ａが外側に変形する。
係止部２２ｂが被係止部１２の頂部を乗り越えると弾性変形部２２ａが内側に弾性復帰し、係止部２２ｂの、折り曲げた外側の側部の２２ｄが被係止部１２の被係止面１２ｂに係止する。
即ち、係止部２２ｂの側部２２ｄと被係止面１２ｂが面当たりするので係止代を確保しやすい。
【００１３】
被係止部材１０にスライドする係止部材２０のスライド方向のベース面長さの半分でベース面２１の中央部に係止部２２を設けると図２に示すように、シールドカバー２０を図１（ｂ）〜（ｄ）とは逆の方向からスライド組付することもできる。
即ち、係止部２２ｂが弾性変形部２２ａから直角方向に形成されているので図２（ａ）〜（ｃ）に示したように逆方向に挿入できる。
この場合には、直角方向に折り曲げた係止部の内側側部２２ｅが被係止面１２ｂに面当たりすることになる。
【００１４】
次に、本発明に係るランス構造を図６に示した、ＬＧＡタイプやＢＧＡタイプの電子部品とプリント基板とを挟持接続するコネクタ（ＬＧＡ、ＢＧＡソケット）を例に説明する。
図６（ａ）にコネクタ４０の接続面の一部を拡大した説明図を示し、図６（ｂ）にコネクタ４０の平面の模式図を示し、図６（ｃ）にコネクタ４０の側面の模式図を示す。
コネクタ４０は複数の貫通孔４２を設けた薄板状の絶縁層４１と、複数のコンタクト３０とを備えている。
絶縁層４１には、接続する電子部品やプリント基板の電極位置に合わせて貫通孔４２を複数形成し、それぞれの貫通孔４２にコンタクト３０を挿入装着してある。
図６に示すコネクタ４０の例は、ＢＧＡタイプのＩＣのボール状電極を嵌合する球面受け凹部を表側の接続面４０ａに設けてＢＧＡタイプのＩＣをプリント基板に接続するソケットの例を示したが挟持接続タイプの各種コネクタに適用できる。
図３（ａ）はコネクタ４０のコンタクト３０付近を拡大した縦断面の説明図を示し、図３（ｂ）はコンタクトのベース部３１側の側面視で、コンタクト３０が見えるように絶縁層４１の一部を取り除いた説明図を示し、図３（ｃ）は平面図を示す。
又、図４に貫通孔４２とコンタクト３０とを絶縁層４１の一部を取り除いて描いた要部斜視図を示す。
コンタクト３０は、弾性を有する金属板を打ち抜き曲げ加工して形成してあり、スライド挿入するベース面３１ａを有するベース部３１と、上下一対の弾性接触片３３と、鍔部３５とを有している。
弾性接触片３３は、ベース部３１から略直角に折り曲げた曲げ部を形成し、その先から上下方向斜めにそれぞれ立ち上げあるいは引き下げて接点部３３ａを形成し、接点部３３ａよりも先端側にはそれぞれ互いに接近するように鋭角に折り曲げた折り返し片３４をそれぞれ設けてある。
図４に示すように折り返し片３４は、ベース部３１とおおむね平行になるように折り曲げてあり、貫通孔４２に挿入しやすくなっている。
鍔部３５は、上下の弾性接触片３３の間のベース部３１の幅方向両側から延在させてある。
図３（ｂ）に示すように係止部３２ｂはベース面３１ａから切り出してベース面３１ａの厚み方向に撓むようにした弾性変形部３２ａを、ベース部３１と両弾性接触片３３とで形成する略ループ形とは反対側のベース面３１ａの厚み方向に折曲げて形成してある。
弾性接触片３３と鍔部３５と係止部３２ｂはベース面３１ａの厚み方向で係止部３２ｂを通る軸で上下左右回転対称に形成してある。
これにより、コンタクト３０は弾性変形部３２ａ部分を除いて上下左右が回転対称として貫通孔４２内への挿入方向に制限を無くし、振込機で一括で装着出来るようにしてある。
【００１５】
絶縁層４１の貫通孔４２内には、図３、図４に示すようにコンタクト３０を鍔部３５で収納保持するガイド溝部４３と、貫通孔４２内に挿入装着したコンタクト３０の係止部３２ｂと干渉してコンタクト３０の抜けを防止する被係止部１２を形成してある。
ガイド溝部４３は、コンタクト３０の鍔部３５を挿入してコンタクト３０を貫通孔４２内に挿入案内するように貫通孔４２の内壁に一対形成した絶縁層４１の厚み方向の溝で、コンタクト３０の鍔部３５を挿入するガイド溝口４３ａを一方に設け、他方に鍔部３５を突き当てて保持するための突当部４３ｂを設けてある。
被係止部１２は傾斜面１２ａと被係止面１２ｂとを有している。
傾斜面１２ａは、ガイド溝部４３に沿う方向のコンタクト３０の貫通孔４２内への挿入方向に対して傾斜した面で、コンタクト３０の挿入方向奥側で貫通孔４２を狭めてある。
被係止面１２ｂは、コンタクト３０の貫通孔４２内への挿入方向の傾斜面１２ａよりも奥側に挿入方向と略直角方向に形成した面である。
被係止部１２は、コネクタ４０の組立に際してコンタクト３０を貫通孔に挿入する時に、傾斜面１２ａで係止部３２ｂを摺動案内し、係止部３２ｂを被係止部２２に弾性変形部３２ａを撓ませて乗り上げさせ、そして、被係止部１２を乗り越えさせた係止部３２ｂを被係止面１２ｂに沿って弾性部変形部３２ａの弾性復元力で突出させるように設けてある。
被係止部１２を乗り越えた係止部３２ｂは、コンタクト３０が貫通孔４２から抜けないように被係止面１２ｂと干渉してコンタクト３０の抜止めをする。
この場合も、係止部３２ｂの側部と被係止面１２ｂとが面当たりする。
【００１６】
図５を用いて、振込機でコンタクト３０を貫通孔４２内へ振り込んだ後の、コンタクト３０の貫通孔４２内への挿入装着構造について説明する。
図５（ａ）は貫通孔４２に、振込機でコンタクト３０を振り込んだ状態を示す。
コンタクト３０は、図３（ｂ）に示したガイド溝口４３ａから鍔部３５をガイド溝部４３に嵌めて、貫通孔４２に挿入されている。
図５（ａ）の状態からコンタクト３０をガイド溝部４３に沿って貫通孔４２内へ押し込むと、係止部３２ｂが被係止部１２の傾斜面１２ａに摺接し、係止部３２ｂは傾斜面１２ａによりベース面３１ａ側に後退案内されて、図５（ｂ）に示すように、弾性変形部３２ａを撓ませて被係止部１２に乗り上がる。
そして挿入を進行させて係止部３２ｂが被係止部１２を乗り越えると、図５（ｃ）に示すように係止部３２ｂは弾性変形部３２ａの弾性復元力で被係止面１２ｂに沿う方向に突出する。
このように、上下左右対称のコンタクトのベース部の中央部に本発明に係るランス構造を適用すると、コンタクトの挿入方向に制限が無くなり、組み立て性に優れる。
【００１７】
図７に、携帯電話機の本体部に組み込み、充電等の外部接続に用いられる電気コネクタに本発明に係るランス構造を適用した例を示す。
電気コネクタ５０は、樹脂製の本体部（被係止部材）５１に設けた内部接続端子５１ａと弾性材からなる外部接続端子（係止部材）５２を組み付けてある。
外部接続端子５２は、充電器等の端子に接続する接続面５２ａを有し、その両端をコ字形状に折り曲げて形成したベース面５２ｂから弾性変形部５２ｃを延在させ、さらにその先端部を内側直角方向に折り曲げて係止部５２ｄを設けてある。
この両サイドの係止部５２ｄ間をやや開くように弾性変形させて本体部５１の側面５３に沿って、図７では手前側から奥側に向かってスライド嵌合する。
すると、両サイドの係止部５２ｄは側面５３に沿って移動し、被係止孔５３ａに係止部５２ｄが位置すると内側に弾性復帰して被係止孔５３ａに係止する。
本実施例は、外部接続端子の側面折り曲げ部がベース面５２ｂとなり、このベース面５２ｂからベース面を延在させて弾性変形部５２ｃを形成し、弾性変形部の先端を内側直角方向に折り曲げて係止部５２ｄを形成した例である。
この場合には、被係止部に必ずしも傾斜面を設ける必要が無く、両側の係止部５２ｄを相互に開くように弾性変形させて本体部５１の両側面５３に摺接させることになり、被係止孔５３ａに係止部５２ｄが係止する際には被係止孔５３ａの、図７では手前側の孔内壁が被係止面として作用する。
【図面の簡単な説明】
【００１８】
【図１】本発明に係るランスをジャックに適用した例を示す。
【図２】ランス係止部の拡大図を示す。
【図３】本発明に係るランスをコネクタ（ＢＧＡソケット）に適用した例を示す。
【図４】コネクタの要部断面図を示す。
【図５】振込機でコンタクトをコネクタの貫通孔内へ振込む時の状態説明図を示す。
【図６】コネクタの外観図を示す。
【図７】本発明に係るランスを電気コネクタに適用した例を示す。
【図８】従来のランス構造例を示す。
【符号の説明】
【００１９】
１０    被係止部材
１２    被係止部
１２ａ  傾斜面
１２ｂ  被係止面
２０    係止部材
２１    ベース面
２２ｃ  切り込み部
２２    ランス
２２ａ  弾性変形部
２２ｂ  係止部
【図１】
2008204724.tif 000003
【図２】
2008204724.tif 000004
【図３】
2008204724.tif 000005
【図４】
2008204724.tif 000006
【図５】
2008204724.tif 000007
【図６】
2008204724.tif 000008
【図７】
2008204724.tif 000009
【図８】
2008204724.tif 000010